(57)【特許請求の範囲】
【請求項１】
ハーフブリッジを構成するスイッチング素子と；
発振周波数が可変である周波数可変発振器と；
周波数可変発振器の発振周波数に基づいてスイッチング素子を高周波駆動させる駆動回路と；
入力端子が電源スイッチを介して商用交流電源に接続され、商用交流電圧を整流平滑した直流電圧を前記ハーフブリッジの入力側に出力する直流電源と；
ハーフブリッジの出力側に限流素子を介して接続された放電ランプと；
電源スイッチがオフされ、直流電源から出力される直流電圧が駆動回路の最低動作電圧以下となる前に電源スイッチが再投入されたときに、周波数可変発振器の発振周波数を放電ランプが調光点灯される発振周波数に変化させる手段と；
を具備していることを特徴とする放電灯点灯装置。
【請求項２】
前記スイッチング素子、周波数可変発振器、駆動回路および周波数可変発振器の発振周波数を変化させる手段を１パッケージ内に設けてパワーＩＣモジュールに形成していることを特徴とする請求項１記載の放電灯点灯装置。
【請求項３】
請求項１または２記載の放電灯点灯装置と；
照明器具本体と；
を具備していることを特徴とする照明器具。
【請求項４】
放電ランプが屈曲形蛍光ランプである請求項１または２記載の放電灯点灯装置と；
一端にねじ込み形口金が設けられ、他端に屈曲形蛍光ランプを取着するとともに放電灯点灯装置を収容しているカバーと；
を具備していることを特徴とする電球形蛍光ランプ。
【発明の詳細な説明】
【０００１】
【発明の属する技術分野】
本発明は、放電ランプを調光点灯可能な放電灯点灯装置、照明器具および電球形蛍光ランプに関する。
【０００２】
【従来の技術】
ハーフブリッジを構成するスイッチング素子とスイッチング素子を駆動させる駆動回路を１パッケージ内に設けたパワーＩＣモジュールは、例えば型名ＩＲ５１Ｈ２１４（ＩＲ）で示されるものなどにすでに見られる。しかし、型名ＩＲ５１Ｈ２１４のパワーＩＣモジュールは、型名ＩＲ２１５１で示されるハイサイドドライバと型名ＩＲＦＵ２１４で示されるＭＯＳＦＥＴを１パッケージに設けているので、大型で端子も９個と多い。さらに、ドライバの特性を決めるための周囲外付け部品を多く要する。その結果、この型名ＩＲ５１Ｈ２１４のパワーＩＣモジュールを用いた電源装置は小形化が困難で、また高コストであるという欠点を有している。
【０００３】
また、パワーＩＣモジュールを用いた放電灯点灯装置において、放電ランプを調光できるものはまだ提供されていない。
【０００４】
【発明が解決しようとする課題】
本発明は上記問題点に鑑みなされたもので、端子数が少なく、小形化、低コスト化を図ったパワーＩＣモジュールを提供すること、また、このパワーＩＣモジュールを用いた放電灯点灯装置、照明器具および電球形蛍光ランプを提供することを目的とする。さらに、電源スイッチを用いて調光可能な放電灯点灯装置、照明器具および電球形蛍光ランプを提供することを目的とする。
【０００５】
【課題を解決するための手段】
請求項１記載の放電灯点灯装置は、ハーフブリッジを構成するスイッチング素子と；発振周波数が可変である周波数可変発振器と；周波数可変発振器の発振周波数に基づいてスイッチング素子を高周波駆動させる駆動回路と；入力端子が電源スイッチを介して商用交流電源に接続され、商用交流電圧を整流平滑した直流電圧を前記ハーフブリッジの入力側に出力する直流電源と；ハーフブリッジの出力側に限流素子を介して接続された放電ランプと；電源スイッチがオフされ、直流電源から出力される直流電圧が駆動回路の最低動作電圧以下となる前に電源スイッチが再投入されたときに、周波数可変発振器の発振周波数を放電ランプが調光点灯される発振周波数に変化させる手段と；を具備していることを特徴とする。
【０００６】
直流電源は、商用交流電源を整流平滑したものの他、さらに昇圧チョッパ回路を介して電圧を昇圧したものなどでもよい。
【０００７】
限流素子は、インダクタ、抵抗など高周波電流を限流するものであればよい。
【０００８】
周波数可変発振器の発振周波数を可変することにより、スイッチング素子の駆動周波数を変化させる。
【０００９】
直流電源から出力される直流電圧が駆動回路の最低動作電圧以下とならないように、電源スイッチを短時間内でオフオンすることにより、放電ランプは、調光点灯される。また、電源スイッチをオフして、直流電源から出力される直流電圧が駆動回路の最低動作電圧以下となった後に電源スイッチをオンすると、放電ランプは全光点灯される。
【００１０】
請求項２に記載の放電灯点灯装置の発明は、請求項１記載の放電灯点灯装置において、前記スイッチング素子、周波数可変発振器、駆動回路および周波数可変発振器の発振周波数を変化させる手段を１パッケージ内に設けてパワーＩＣモジュールに形成していることを特徴とする。
【００１１】
スイッチング素子、周波数可変発振器、駆動回路および周波数可変発振器の発振周波数を変化させる手段を１パッケージに設けることにより、小形で低コストになる。そして、パワーＩＣモジュールから高周波電圧が出力され、限流素子を介して放電ランプに供給される。
【００１２】
パワーＩＣモジュールは、小形で低コストであるので、その分、放電灯点灯装置も小形化、低コスト化される。
【００１３】
請求項３に記載の照明器具の発明は、請求項１または２記載の放電灯点灯装置と；照明器具本体と；を具備していることを特徴とする。
【００１４】
照明器具は、電源スイッチのオンオフに応じて、放電ランプが全光点灯または調光点灯される。また、パワーＩＣモジュールを用いた放電灯点灯装置を使用すると、照明器具を低コストで、小形化することも可能である。
【００１５】
請求項４に記載の電球形蛍光ランプの発明は、放電ランプが屈曲形蛍光ランプである請求項１または２記載の放電灯点灯装置と；一端にねじ込み形口金が設けられ、他端に屈曲形蛍光ランプを取着するとともに放電灯点灯装置を収容しているカバーと；を具備していることを特徴とする。
【００１６】
電球形蛍光ランプは、電源スイッチのオンオフに応じて、屈曲形蛍光ランプが全光点灯または調光点灯される。また、パワーＩＣモジュールを用いた放電灯点灯装置を使用すると、電球形蛍光ランプを低コストで、小形化することも可能である。
【００１７】
【発明の実施の形態】
以下、本発明の実施の形態を図面を参照して説明する。
【００１８】
図１は本発明の第１の実施形態を示す放電灯点灯装置の回路図である。
【００１９】
パワーＩＣモジュール１０は１パッケージに構成されている。内部に、スイッチング素子としての電界効果トランジスタＦＥＴ１，ＦＥＴ２を直列に接続し、これら電界効果トランジスタＦＥＴ１，ＦＥＴ２のゲートには駆動回路１１が接続されている。また、この駆動回路１１は、入力する電圧信号に基づいて発振周波数を可変する周波数可変発振器１２の発振周波数の信号を入力して、その信号に応動して、例えば２０ＫＨｚ〜６０ＫＨｚの高周波で電界効果トランジスタＦＥＴ１，ＦＥＴ２を交互に駆動するものである。周波数可変発振器１２は電流ー電圧変換素子としての抵抗Ｒ１により変換された電圧信号に応動してその発振周波数が変化する。電界効果トランジスタＦＥＴ１，ＦＥＴ２の直列回路の両端は端子１，２としてパワーＩＣモジュール１０の入力側、電界効果トランジスタＦＥＴ１，ＦＥＴ２の接続点ａおよび抵抗Ｒ１と周波数可変発振器１２の入力側の他端の接続点は端子３，４としてパワーＩＣモジュール１０の出力側となっている。図５にこのパワーＩＣモジュール１０の外形図を示す。パワーＩＣモジュール１０は、電界効果トランジスタＦＥＴ１，ＦＥＴ２、駆動回路１１、周波数可変発振器１２および電流ー電圧変換素子としての抵抗Ｒ１を１パッケージに収納しているので、小形で、また各種装置に利用した時外付け部品が削減されるので低コスト化となっている。
【００２０】
パワーＩＣモジュール１０の入力側、すなわち端子１，２には、直流電源１４が接続されている。直流電源１４は整流器Ｒｅｃ１および平滑用コンデンサＣ１から成り、商用交流Ｖｓを整流平滑しているものである。パワーＩＣモジュール１０の出力側、すなわち端子３，４には、直流カット用コンデンサＣ２および限流素子としてのインダクタＬ１を介して蛍光ランプ１３に接続されている。蛍光ランプ１３のフィラメント１３ａ，１３ｂの間には予熱用コンデンサＣ３が接続されている。
【００２１】
次に、本発明の第１の実施形態を示す放電灯点灯装置の作用を述べる。
【００２２】
放電灯点灯装置１５は蛍光ランプ１３の出力を一定にさせるように動作するものである。商用電源Ｖｓが投入されると、直流電源１４は直流電圧を発生させてパワーＩＣモジュール１０の入力端子１，２に入力する。すると、駆動回路１１が動作して電界効果トランジスタＦＥＴ１，ＦＥＴ２をオンオフ制御してパワーＩＣモジュール１０の出力端子３，４に高周波電圧を発生させ、直流カット用コンデンサＣ２およびインダクタＬ１を介して蛍光ランプ１３に印加する。予熱用コンデンサＣ３を介してフィラメント１３ａ，１３ｂが予熱された後にインダクタＬ１と予熱用コンデンサＣ３の共振電圧が蛍光ランプ１３に印加され、蛍光ランプ１３は点灯する。
【００２３】
蛍光ランプ１３は雰囲気温度によってランプ電圧が増減し、それに伴ってランプ電流も増減する。蛍光ランプ１３の雰囲気温度が下がると、ランプ電流が増加するので抵抗Ｒ１を流れる電流も増加し、その結果、抵抗Ｒ１の両端電圧が高くなって周波数可変発振器１２に入力される。すると、周波数可変発振器１２の発振周波数は上昇して、電界効果トランジスタＦＥＴ１，ＦＥＴ２のスイッチング周波数を上昇させる。蛍光ランプ１３の雰囲気温度が上昇するなどしてランプ電流が減少した場合は、抵抗Ｒ１を流れる電流も減少するので、抵抗Ｒ１の両端電圧が低くなり周波数可変発振器１２の発振周波数は低下して、電界効果トランジスタＦＥＴ１，ＦＥＴ２のスイッチング周波数を低下させるように駆動回路１１を制御する。こうして、蛍光ランプ１３は、電界効果トランジスタＦＥＴ１，ＦＥＴ２のスイッチング周波数が可変されて出力を一定にする。
【００２４】
なお、本発明のパワーＩＣモジュール１０の用途は上記実施形態の蛍光ランプに限らず、電動機や電熱線、白熱電球、放電ランプなどインバータで付勢できるものに適用されるものである。
【００２５】
図２ないし図４に本発明のパワーＩＣモジュールの他の実施形態について述べる。図中、図１と同一部分には同一符号を付して説明は省略する。
【００２６】
図２は本発明の第２の実施形態を示すパワーＩＣモジュールの回路図である。
【００２７】
電流ー電圧変換素子としての抵抗Ｒ１を、スイッチング素子ＦＥＴ２と駆動回路１１の電源および周波数可変発振器１２の入力側の一端の３者の接続点と直流電源１４との間に接続したものである。抵抗Ｒ１に流れるパワーＩＣモジュール２０の入力電流Ｉｄｃを検出してハーフブリッジインバータを制御するものである。端子１，４が入力側、端子２，３が出力側となる。
【００２８】
図３は本発明の第３の実施形態を示すパワーＩＣモジュールの回路図である。
【００２９】
抵抗Ｒ１を、スイッチング素子ＦＥＴ２および周波数可変発振器１２の入力側の一端の接続点と駆動回路１１の電源および周波数可変発振器１２の入力側の他端との間に接続したものである。抵抗Ｒ１に流れるスイッチング素子ＦＥＴ２のドレイン電流Ｉｄを検出してハーフブリッジインバータを制御するものである。パワーＩＣモジュール３０は、端子１，２が入力側、端子３，２が出力側となる。
【００３０】
図４は本発明の第４の実施形態を示すパワーＩＣモジュール回路図である。
【００３１】
パワーＩＣモジュール４０の入力電圧を抵抗Ｒ１，Ｒ２で分圧して、抵抗Ｒ１の両端電圧を周波数可変発振器１２に入力してハーフブリッジインバータを制御するものである。端子１，２が入力側、端子３，２が出力側となる。
【００３２】
次に、調光可能なパワーＩＣモジュールについて述べる。
【００３３】
図６は本発明の第５の実施形態を示す放電灯点灯装置の回路図である。
【００３４】
図６において、図１乃至図４と同一部分または同一部分に相当する部分には同一符号を付す。
【００３５】
図６に示す放電灯点灯装置６０は、直流電源４７、パワーＩＣモジュール５０、負荷回路５１などから構成される。商用電源Ｖｓ（１００Ｖ）は、電源スイッチ４５およびコンデンサＣ４とインダクタＬ２から成るノイズフィルタ４６を介して整流器Ｒｅｃ１の入力端子に接続されている。整流器Ｒｅｃ１の出力端子は、突入電流防止用抵抗Ｒ３を介して平滑用コンデンサＣ１に接続され、整流器Ｒｅｃ１と平滑用コンデンサＣ１で直流電源４７を形成している。そして、平滑用コンデンサＣ１の両端は、パワーＩＣモジュール５０の入力端子Ｖｈ（１），Ｃｏｍ（２）に接続されている。また、パワーＩＣモジュール５０の入力端子Ｖａｃは、整流器Ｒｅｃ１の入力端子に接続されている。パワーＩＣモジュール５０の出力端子Ｖｏ（３），Ｄｅｔ（４）間には、直流カット用コンデンサＣ２、限流素子としてのインダクタＬ１を介して蛍光ランプ１３が接続され、蛍光ランプ１３のフィラメント１３ａ，１３ｂ間に予熱用コンデンサＣ３が接続されて負荷回路５１を形成している。パワーＩＣモジュール５０の入力端子Ｖｈ（１），Ｃｏｍ（２）間には、スイッチング素子としての電界効果トランジスタＦＥＴ１，ＦＥＴ２がハーフブリッジを構成して接続され、さらに、抵抗Ｒ４を介して駆動回路１１が、抵抗Ｒ５を介して周波数可変発振器（ＶＦＯ）１２が接続されている。そして、電界効果トランジスタＦＥＴ１のソース端子は、電流検出用抵抗Ｒ１を介して出力端子Ｄｅｔ（４）および入力端子Ｃｏｍ（２）に接続されている。また、電界効果トランジスタＦＥＴ１，ＦＥＴ２の中点ａは、出力端子Ｖｏ（３）および駆動回路１１の出力基準端子Ｇ３に接続されている。駆動回路１１の出力端子Ｇ１，Ｇ２は、電界効果トランジスタＦＥＴ１，ＦＥＴ２のゲート端子に接続されている。駆動回路１１の入力端子Ｇ４は、周波数可変発振器（ＶＦＯ）１２の出力端子Ｖ２と接続され、周波数可変発振器（ＶＦＯ）１２の入力端子Ｖ１は、抵抗Ｒ６を介して入力端子Ｃｏｍ（２）および抵抗Ｒ７を介して出力端子Ｄｅｔ（４）に接続されている。抵抗Ｒ６には並列に平滑用コンデンサＣ５が接続され、抵抗Ｒ６と抵抗Ｒ７の直列回路にはＰＮＰトランジスタＴｒ１が接続されている。トランジスタＴｒ１のベースは、フリップフロップ５２の出力端子Ｑに接続されている。フリップフロップ５２の入力端子Ｄは、バッファ５３を介して出力端子Ｖｏ（３）に接続され、入力端子ＣＬＫはシュミットトリガー５４の出力端子に接続されている。入力端子Ｖａｃ（５）と入力端子Ｃｏｍ（２）間には、ダイオードＤ１、抵抗Ｒ８および抵抗Ｒ９の直列回路が接続され、抵抗Ｒ８と抵抗Ｒ９の中点ｂは、シュミットトリガー５４の入力端子に接続されている。抵抗Ｒ９には、平滑用コンデンサＣ６が接続されている。
【００３６】
次に、本発明の第５の実施形態の作用について、図７を用いて説明する。
【００３７】
図７は、電源スイッチ４５の操作に対する放電灯点灯装置６０の動作状態を示す。図中、Ｖｄｃは平滑用コンデンサＣ１の両端電圧の変化を、Ｄ、ＣＬＫ、Ｑは、フリップフロップ５２の入力端子Ｄ、ＣＬＫに入力される電圧および出力端子Ｑより出力される電圧を、Ｉａはランプ電流、すなわち、消灯、全光、調光の状態を示す。
【００３８】
電源スイッチ４６を投入すると、商用交流（１００Ｖ）は整流器Ｒｅｃ１および平滑用コンデンサＣ１で整流平滑され、平滑用コンデンサＣ１の両端電圧Ｖｄｃは上昇して一定の直流電圧となる（図７，Ｖｄｃ）。平滑用コンデンサＣ１の両端電圧Ｖｄｃは、パワーＩＣモジュール５０の入力端子Ｖｈ（１），Ｃｏｍ（２）に入力され、抵抗Ｒ４を介して駆動回路１１および抵抗Ｒ５を介して周波数可変発振器（ＶＦＯ）１２に供給される。平滑用コンデンサＣ１の両端電圧Ｖｄｃが、駆動回路１１の最低動作電圧（ＵＶＬＯレベル）（図７，Ｖｄｃ）以上になると、駆動回路１１は動作して、出力基準端子Ｇ３と出力端子Ｇ２間および出力基準端子Ｇ３と出力端子Ｇ１間に交互に駆動信号を出力して電界効果トランジスタＦＥＴ１，ＦＥＴ２を駆動させる。すると、出力端子Ｖｏ（３），Ｄｅｔ（４）間に１４０Ｖの高周波電圧が発生して負荷回路５１に供給される。そして、負荷回路５１の蛍光ランプ１３のフィラメント１３ａ，１３ｂを予熱するとともにインダクタＬ１と予熱用コンデンサＣ３の共振電圧が蛍光ランプ１３に印加され、蛍光ランプ１３は点灯（全光）する（図７，Ｉａ）。電界効果トランジスタＦＥＴ１，ＦＥＴ２が駆動して高周波電圧を発生すると、１４０Ｖの高周波電圧はバッファ５３で降圧（１０Ｖ）されフリップフロップ５２の入力端子Ｄに入力される（図７，Ｄ）。また、入力端子Ｖａｃ（５）に電源スイッチ４５の投入とともに入力された交流電圧は、ダイオードＤ１で整流された後、抵抗Ｒ８と抵抗Ｒ９で分圧される。そして、抵抗Ｒ９の両端電圧は、平滑用コンデンサＣ６で平滑されてシュミットトリガー５４の入力端子に入力される。シュミットトリガー５４は、例えば１０Ｖ以上の電圧が入力されると１０Ｖを出力するように構成しているので、電源スイッチ４５の投入とほとんど同時にシュミットトリガー５４は、１０Ｖの電圧を出力してフリップフロップ５２のＣＬＫ入力端子に入力する（図７，ＣＬＫ）。この時、フリップフロップ５２の出力端子Ｑは、Ｌｏｗの電圧（０Ｖ）を出力する（図７，Ｑ）。フリップフロップ５２の出力端子Ｑが０Ｖを出力するので、出力端子Ｑとベースが接続しているＰＮＰ型トランジスタＴｒ１はオンする。トランジスタＴｒ１がオンすると、トランジスタＴｒ１のエミッタ、コレクタ間は導通し、周波数可変発振器（ＶＦＯ）１２の入力端子Ｖ１は、抵抗Ｒ７を介して基準電位である入力端子Ｃｏｍ（２）と接続される。この状態で、周波数可変発振器（ＶＦＯ）１２は、蛍光ランプ１３を全光点灯させる発振周波数Ｆ１を駆動回路１１へ出力する。
【００３９】
電源スイッチ４５をオフすると、入力端子Ｖａｃ（５），Ｃｏｍ（２）間に入力電圧がないので、シュミットトリガー５４は出力端子より電圧を出力しない（０Ｖを出力する）。したがって、フリップフロップ５２のＣＬＫ入力端子は、Ｌｏｗの電圧（０Ｖ）が入力される（図７，ＣＬＫ）。一方、平滑用コンデンサＣ１の両端電圧Ｖｄｃは、電源スイッチ４５のオフと同時に低下していく（図７，Ｖｄｃ）。平滑用コンデンサＣ１の両端電圧Ｖｄｃが、駆動回路１１の最低動作電圧（ＵＶＬＯレベル）以下になると、駆動回路１１は動作をしなくなる。その結果、電界効果トランジスタＦＥＴ１，ＦＥＴ２が駆動せず、出力端子Ｖｏ（３），Ｄｅｔ（４）間に１４０Ｖの高周波電圧が発生しないので、蛍光ランプ１３は消灯する（図７，Ｉａ）とともにフリップフロップ５２の入力端子ＤにはＬｏｗの電圧（０Ｖ）が入力される（図７，Ｄ）。
【００４０】
電源スイッチ４５をオフした後、平滑用コンデンサＣ１の両端電圧Ｖｄｃが、駆動回路１１の最低動作電圧（ＵＶＬＯレベル）以下になる前に、電源スイッチ４５を再投入する（図７，スイッチ）と、駆動回路１１は動作をしているので、蛍光ランプ１３は全光点灯しており、また、フリップフロップ５２の入力端子ＤにはＨｉｇｈの電圧（１０Ｖ）が入力されている。しかし、フリップフロップ５２のＣＬＫ入力端子は、電源スイッチ４５のオフとともにＬｏｗの電圧（０Ｖ）が入力され、電源スイッチ４５の再投入とともにＨｉｇｈの電圧（１０Ｖ）が入力される（図７，ＣＬＫ）。フリップフロップ５２の入力端子ＤがＨｉｇｈの電圧（１０Ｖ）を入力している時に、ＣＬＫ入力端子にＬｏｗの電圧（０Ｖ）からＨｉｇｈの電圧（１０Ｖ）が入力されると、フリップフロップ５２の出力端子ＱはＨｉｇｈの電圧（１０Ｖ）を出力（図７，Ｑ）するようにしている。フリップフロップ５２の出力端子ＱはトランジスタＴｒ１のベースと接続されているので、フリップフロップ５２よりＨｉｇｈの電圧（１０Ｖ）が出力されると、トランジスタＴｒ１はオフする。トランジスタＴｒ１がオフすると、エミッタ、コレクタ間は非導通となるので、抵抗Ｒ１の両端電圧を抵抗Ｒ６と抵抗Ｒ７で分圧する。そして、平滑された抵抗Ｒ６の両端電圧が周波数可変発振器（ＶＦＯ）１２の入力端子Ｖ１に入力され、周波数可変発振器（ＶＦＯ）１２は、蛍光ランプ１３を調光点灯させる発振周波数Ｆ２に発振周波数を可変して駆動回路１１へ出力する。駆動回路１１は、周波数可変発振器（ＶＦＯ）１２の発振周波数Ｆ２に基づいて電界効果トランジスタＦＥＴ１，ＦＥＴ２を高周波駆動させて蛍光ランプ１３を調光点灯させる（図７，Ｉａ）。なお、電源スイッチ４５をオフした後、平滑用コンデンサＣ１の両端電圧Ｖｄｃが駆動回路１１の最低動作電圧（ＵＶＬＯレベル）以下になった後に、電源スイッチ４５を再投入すると蛍光ランプ１３は全光点灯する。抵抗Ｒ６と平滑用コンデンサＣ５の並列回路、抵抗Ｒ７、抵抗Ｒ１、トランジスタＴｒ１およびフリップフロップ５２などは、周波数可変発振器（ＶＦＯ）１２の発振周波数を変化させる手段である。
【００４１】
このように、電源スイッチ４５をオフした後、平滑用コンデンサＣ１の両端電圧Ｖｄｃが駆動回路１１の最低動作電圧（ＵＶＬＯレベル）以下になる前に、電源スイッチ４５を再投入することによって、蛍光ランプ１３を全光点灯から調光点灯に切り換えることができる。ここで、電源スイッチ４５は、壁スイッチ、プルスイッチなどとすることができる。
【００４２】
なお、蛍光ランプ１３の全光点灯時、瞬時停電が発生した場合、上述したように調光点灯に切り換わることが懸念される。この場合は、平滑用コンデンサＣ５の容量を大きくするとともにシュミットトリガー５４を、例えば１０Ｖ以上の電圧が入力された時にＨｉｇｈの電圧（１０Ｖ）を出力し、入力電圧の低下に対しては５Ｖ以下に低下したときにＬｏｗの電圧（０Ｖ）を出力することによって回避できる。
【００４３】
次に、本発明の第６の実施形態における照明器具について述べる。
【００４４】
図８は本発明の第６の実施形態を示す照明器具である。
【００４５】
図８に示す照明器具１８は、照明器具本体１６，蛍光ランプ１３および放電灯点灯装置１５から構成されている。蛍光ランプ１３は、照明器具本体１６のランプソケット１７，１７に挟持して接続され、照明器具本体１６の内部に放電灯点灯装置１５または調光可能な放電灯点灯装置６０が内蔵されている。
【００４６】
小形、低コストのパワーＩＣモジュールを用いた放電灯点灯装置を使用しているので、照明器具を低コスト化、小形化するができる。さらに、調光させることもできる。
【００４７】
次に、本発明の第７の実施形態における電球形蛍光ランプについて述べる。
【００４８】
図９は、本発明の第７の実施形態を示す電球形蛍光ランプの断面図である。
【００４９】
図９に示す電球形蛍光ランプ７０は、カバー７１、屈曲形蛍光ランプ７３および調光可能なパワーＩＣモジュール５０を用いた放電灯点灯装置６０から構成されている。カバー７１は、一端にねじ込み形の口金７２を設け、他端に屈曲形蛍光ランプ７３を取着している。カバー７１の内部に放電灯点灯装置６０が収容されている。そして、カバー７１の下部に屈曲形蛍光ランプ７３を被ってグローブ７４が取り付けられている。
【００５０】
電球形蛍光ランプ７０は、電源スイッチ４５を短時間内にオフオン操作することによって全光点灯から調光点灯に切り換えることができる。
【００５１】
【発明の効果】
請求項１記載の発明によれば、電源スイッチがオフされてから直流電源から出力される直流電圧が駆動回路の最低動作電圧となる短時間内において、電源スイッチを再投入することにより、放電ランプを調光点灯させることのできる放電灯点灯装置を提供することができる。
【００５２】
請求項２記載の発明によれば、パワーＩＣモジュールは、スイッチング素子、駆動回路、周波数可変発振および周波数可変発振器の発振周波数を変化させる手段を１パッケージに設けているので、機能が向上するとともに端子数が少なく、小形で低コストとなる。そして、このパワーＩＣモジュールを使用することにより、放電灯点灯装置を小形化、低コスト化することができる。
【００５３】
請求項３記載の発明によれば、電源スイッチを短時間内でオフオン操作することにより、放電ランプが調光点灯される照明器具を提供することができる。そして、請求項２記載のパワーＩＣモジュールを用いた放電灯点灯装置を使用することにより、照明器具を低コスト化、小形化することができる。
【００５４】
請求項４記載の発明によれば、電源スイッチを短時間内でオフオン操作することにより、屈曲形蛍光ランプが調光点灯される電球形蛍光ランプを提供することができる。そして、小形で低コストである請求項２記載のパワーＩＣモジュールを用いた放電灯点灯装置を収納することにより、小形化、低コスト化された電球形蛍光ランプを提供することができる。
【図面の簡単な説明】
【図１】本発明の第１の実施形態を示す放電灯点灯装置の回路図。
【図２】本発明の第２の実施形態を示すパワーＩＣモジュールの回路図。
【図３】本発明の第３の実施形態を示すパワーＩＣモジュールの回路図。
【図４】本発明の第４の実施形態を示すパワーＩＣモジュールの回路図。
【図５】本発明の実施形態を示すパワーＩＣモジュールの外形図。
【図６】本発明の第５の実施形態を示す放電灯点灯装置の回路図。
【図７】電源スイッチの操作に対する放電灯点灯装置の動作状態を示す説明図。
【図８】本発明の第６の実施形態を示す照明器具の外観図。
【図９】本発明の第７の実施形態を示す電球形蛍光ランプの断面図。
【符号の説明】
ＦＥＴ１，ＦＥＴ２ スイッチング素子（電界効果トランジスタ）
Ｒ１ 抵抗（電流ー電圧変換素子）
Ｌ１ インダクタ（限流素子）
１０，２０，３０，４０，５０ パワーＩＣモジュール
１１ 駆動回路
１２ 周波数可変発振器
１３ 蛍光ランプ
１４，４７ 直流電源
１５，６０ 放電灯点灯装置
１６ 照明器具本体
１８ 照明器具
７０ 電球形蛍光ランプ
【図１】
0003690554.tif 000002
【図２】
0003690554.tif 000003
【図３】
0003690554.tif 000004
【図４】
0003690554.tif 000005
【図５】
0003690554.tif 000006
【図６】
0003690554.tif 000007
【図７】
0003690554.tif 000008
【図８】
0003690554.tif 000009
【図９】
0003690554.tif 000010